(57)【要約】【課題】 噴射圧力及び効率を大幅に向上させ、製品の寿命を増大させた高圧力噴射用ディスペンサノズルを提供すること。【解決手段】  タベット１００は、先端部１０１が円錐状に構成され、ノズル１１０は、前記タベット１００の先端部１０１の外周面と所定の間隔の隙間Ｇを維持するように形成される漏斗状の収容部１１１と、前記収容部１１１の床面１１１ａの中央に前記タベット１００の先端部１０１の前部の所定の長さだけ嵌め込まれるように形成される漏斗溝１１２と、前記漏斗溝１１２の中央に貫設される噴射孔１１３と、を備えることを特徴とする高圧力噴射用ディスペンサノズル。【選択図】図４
2017047416.tif 000002
【特許請求の範囲】
【請求項１】
駆動部（１０）と、係合部（２０）と、ノズル部（３０）と、を備え、前記駆動部（１０）の下端には振動運動するタベットが露設されて前記係合部（２０）を介してノズル部（３０）に嵌着され、前記タペット（１００）は、先端部（１０１）が円錐状に構成され、前記ノズル部の底面にはノズル（１１０）が取り付けられるディスペンサに適用されるものであり、
前記ノズル（１１０）は、
前記タぺット（１００）の先端部（１０１）の外周面と所定の間隔の隙間（Ｇ）を維持するように形成される漏斗状の収容部（１１１）と、前記収容部（１１１）の床面（１１１ａ）の中央に前記タペット（１００）の先端部（１０１）の前部の所定の長さだけ嵌め込まれるように形成される漏斗溝（１１２）と、前記漏斗溝（１１２）の中央に貫設される噴射孔（１１３）と、を備えることを特徴とする高圧力噴射用ディスペンサノズル。
【請求項２】
駆動部（１０）と、係合部（２０）と、ノズル部（３０）と、を備え、前記駆動部（１０）の下端には振動運動するタベットが露設されて前記係合部（２０）を介してノズル部（３０）に嵌着され、前記タペット（１００）は、先端部（１０１）が円錐状に構成され、前記ノズル部の底面にはノズル（１２０）が取り付けられるディスペンサに適用されるものであり、
前記ノズル（１２０）は、
前記タベット（１００）の先端部（１０１）の外周面と所定の間隔の隙間を維持するように形成される漏斗状の収容部（１２１）と、前記収容部（１２１）の底面（１２１ａ）の中央に前記タベット（１００）の先端部（１０１）の前部の所定の長さだけ嵌め込まれるように形成される漏斗溝（１２２）と、前記漏斗溝（１２２）の中央に貫設される噴射孔（１２３）と、前記収容部（１２１）の床面（１２１ａ）の一方の側における漏斗溝（１２２）の傾斜面の間に溝を掘ってディスペンサ液を漏斗溝（１２２）に流入させる注入溝（１２４）と、を備えることを特徴とする高圧力噴射用ディスペンサノズル。
【請求項３】
前記注入溝（１２４）は、前記噴射孔（１２３）を中心として所定の間隔を隔てて少なくとも一つ以上形成されることを特徴とする請求項２に記載の高圧力噴射用ディスペンサノズル。
【請求項４】
駆動部（１０）と、係合部（２０）と、ノズル部（３０）と、を備え、前記駆動部（１０）の下端には振動運動するタベットが露設されて前記係合部（２０）を介してノズル部（３０）に嵌着され、前記タぺット（１００）は、先端部（１０１）が円錐状に構成され、前記ノズル部の底面にはノズル（１３０）が取り付けられるディスペンサに適用されるものであり、
前記ノズル（１３０）は、
ノズル本体（１３１）の上端に３つの円形が隣り合うように形成し、所定の深さの溝を掘った第１の溝部（１３２）と、前記第１の溝部（１３２）の内側の中央にタぺット（１００）の先端部（１０１）が嵌め込まれて接触されるように所定の深さの床面（１３４）まで形成される漏斗溝（１３３）と、前記漏斗溝（１３３）の中央に貫設される噴射孔（１３５）と、前記第１の溝部（１３２）の一方の側における漏斗溝（１３３）の傾斜面の間に溝を掘ってディスペンサ液を漏斗溝（１３３）に流入させる第２の溝部（１３６）と、を備えることを特徴とする高圧力噴射用ディスペンサノズル。
【請求項５】
前記第２の溝部（１３６）は、前記噴射孔（１３５）を中心として所定の間隔を隔てて３つで構成されることを特徴とする請求項４に記載の高圧力噴射用ディスペンサノズル。
【請求項６】
駆動部（１０）と、係合部（２０）と、ノズル部（３０）と、を備え、前記駆動部（１０）の下端には振動運動するタベットが露設されて前記係合部（２０）を介してノズル部（３０）に嵌着され、前記タぺット（１００）は、先端部（１０１）が円錐状に構成され、前記ノズル部の底面にはノズル（１４０）が取り付けられるディスペンサに適用されるものであり、
前記ノズル（１４０）は、
ノズル本体（１４１）の上端に２つの円形が隣り合うように形成し、所定の深さの溝を掘った第１の溝部（１４２）（１４２）と、前記第１の溝部（１４２）の２つの円形が隣り合う個所の中央にタベット（１００）の先端部（１０１）が嵌め込まれて接触されるように所定の深さの床面まで形成される漏斗溝（１４３）と、前記漏斗溝（１４３）の中央に貫設される噴射孔（１４４）と、前記第１の溝部（１４２）の内側に所定の深さの円形の溝を掘った第２の溝部（１４５）（１４５）と、前記第２の溝部（１４５）（１４５）の一方の側における漏斗溝（１４３）の傾斜面の間に溝を掘ってディスペンサ液を漏斗溝（１４３）に流入させる第３の溝部（１４６）と、を備えることを特徴とする高圧力噴射用ディスペンサノズル。
【請求項７】
前記第３の溝部（１４６）は、前記噴射孔（１４４）を中心として所定の間隔を隔てて３つで構成されることを特徴とする請求項６に記載の高圧力噴射用ディスペンサノズル。
【請求項８】
駆動部（１０）と、係合部（２０）と、ノズル部（３０）と、を備え、前記駆動部（１０）の下端には振動運動するタベットが露設されて前記係合部（２０）を介してノズル部（３０）に嵌着され、前記タぺット（１００）は、先端部（１０１）が円錐状に構成され、前記ノズル部の底面にはノズル（１４０）が取り付けられるディスペンサに適用されるものであり、
前記ノズル（１５０）は、
ノズル本体（１５１）の上端の一方の側に所定の深さの円形の溝を掘った第１の溝部（１５２）と、前記第１の溝部（１５２）の一方の側を含む中央にタぺット（１００）の先端部（１０１）が嵌め込まれて接触されるように所定の深さの床面まで形成される漏斗溝（１５３）と、前記漏斗溝（１５３）の中央に貫設される噴射孔（１５４）と、前記第１の溝部（１５２）の内側に所定の深さの円形の溝を掘った第２の溝部（１５５）と、前記第２の溝部（１５５）の一方の側における漏斗溝（１５３）の傾斜面の間に溝を掘ってディスペンサ液を漏斗溝（１５３）に流入させる第３の溝部（１５６）と、を備えることを特徴とする高圧力噴射用ディスペンサノズル。
【発明の詳細な説明】
【技術分野】
【０００１】
本発明は、高精密ディスペンサのノズルに係り、更に詳しくは、噴射圧力及び効率を大幅に向上させ、製品の寿命を増大させた高圧力噴射用ディスペンサノズルに関する。
【背景技術】
【０００２】
周知の高精密ディスペンサは、所定のディスペンサ液をノズルを介して所定量噴射して目標とする対象物の当該位置に正確に、且つ、設定された量だけ塗布する役割を果たす装置であり、半導体や携帯電話の製造工程など精密産業分野において特定の部位のコーティングや接合を行うのに用いられる。
【０００３】
以下、添付図面に基づいて、通常のディスペンサの構造について説明する。
【０００４】
図１に示すように、ディスペンサは、駆動部１０と、前記駆動部１０の底面に取り付けられる係合部２０と、前記係合部２０の下方に設けられるノズル部３０と、前記係合部２０の側面に取り付けられるシリンジ部４０と、を備える。
【０００５】
また、前記駆動部１０の下端には、振動（前後進動作）運動するタペット５０が露設され、センタリングピース１２及び封止部材１５を介して係合部２０の流入孔２１に前記タぺット５０が嵌着されるように構成される。
更に、前記係合部２０は、前記駆動部１０のタぺット５０が嵌め込まれる流入孔２１と、底面に形成されてノズル部３０が締め付けられる締付部２３と、一方の側に形成されてシリンジ部４０が取り付けられる取付孔２２と、を備える。
【０００６】
更にまた、前記係合部２０は、シリンジ部４０を介して供給されるディスペンサ液が流入孔２１に流入するような内部構造を有する。
【０００７】
前記ノズル部３０は、図２に示すように、前記係合部２０の締付部２３の内側にＯリング３４を介して嵌め込まれるガイダンス３１と、前記ガイダンス３１の底面に嵌着されるノズル３２と、前記ガイダンス３１及びノズル３２を覆い、前記係合部２０の締付部２３に締め付けられる蓋体３３と、を備える。
【０００８】
前記ノズル３２は、中央には漏斗状の収容部３２ａが形成され、前記収容部３２ａの中央にはディスペンサ液が吐き出されて噴射される噴射孔３２ｂが形成される。
【０００９】
このような構成を有するディスペンサの駆動動作について説明する。
【００１０】
まず、駆動部１０を動作させるために所定の電源周波数を有するパルス波形が内部の振動手段１１に印加されると、前記振動手段１１は駆動され、これに連動してタベット５０が振動する。
【００１１】
一方、ディスペンサ液が満たされているシリンジ部４０を係合部２０の取付孔２２に取り付ける。すると、前記ディスペンサ液が係合部２０の流入孔２１に流入し、且つ、タペット５０が貫通されているガイダンス３１の第１の空間部３５を介してノズル３２の収容部３２ａに収容される。
【００１２】
このとき、前記ディスペンサ液は、ノズル３２の噴射孔３２ｂを介して外部に排出されない。なぜならば、前記噴射孔３２ｂの直径が非常に微細であるだけではなく、前記ディスペンサ液は所定の粘弾性を有しているため、重力により外部に流出されなくなる。
【００１３】
このような状態で、上述した振動手段１１の駆動により、図３（ａ）に示すように、前記タベット５０が下方に瞬時に移動してその先端部５０ａがノズル３２収容部３２ａの表面と接触すると、前記収容部３２ａに溜まっていたディスペンサ液Ａが噴射孔３２ｂを介して外部に噴射されるのである。
【００１４】
また、前記タベット５０が上方に後退すると、噴射は止まる。このような振動動作を繰り返し行ってディスペンサ液を吐き出し噴射するのである。
【００１５】
ところが、このようなディスペンサ液Ａの吐き出し噴射に当たって、最近には、ディスペンサ液Ａの噴射圧力を高めることがますます必要となっている。
【００１６】
ディスペンサ液は、使用用途に応じて成分が異なるが、特に、エポキシ用途に用いる場合、成分の粘性やチクソ性のためにさらに強力な圧力噴射を必要とする。
【００１７】
このため、従来には、ディスペンサ液の噴射圧力を高めるために、図３（ｂ）に示すように、タぺット５１の先端部５１ａを尖った形状に加工して先端部５１ａ及びディスペンサ液Ａが接触される面積を狭めて相対的に噴射圧力が高くなるようにした技術が提案されている。
【００１８】
しかしながら、このようなタぺット５１の構造により噴射圧力が高くなったとはいえ、タベット５１の振動運動に際して前記タベット５１と収容部３２ａの空間部Ｓとの間にディスペンサ液Ａが円滑に流入できない現象が生じていた。
【００１９】
これは、前記タぺット５１の先端部５１ａの外周面と収容部３２ａの内周面が一致するため、タぺット５１が収容部３２ａと接触された後に後退するとき、ある程度タぺットと収容部との間の間隔が広くなってはじめて、空間部Ｓに満たされているディスペンサ液がノズル３２の収容部３２ａに流入する現象に起因するものである。
【００２０】
このような現象は、収容部３２ａの内部に流入するディスペンサ液の定量不足により噴射品質が低下するという問題を招いてしまう。
【先行技術文献】
【特許文献】
【００２１】
【特許文献１】韓国登録特許公報第１０−１１９０９３９号
【特許文献２】韓国登録特許公報第１０−１１６５５５７号
【特許文献３】韓国登録特許公報第１０−１１７５２８４号
【特許文献４】韓国公開特許公報第１０−２０１３−００７６５８１号
【発明の概要】
【発明が解決しようとする課題】
【００２２】
本発明は、上記事情に鑑みてなされたものであり、その目的は、噴射圧力及び効率を大幅に向上させ、製品の寿命を増大させた高圧力噴射用ディスペンサノズルを提供することにある。
【課題を解決するための手段】
【００２３】
上述した目的を達成するためになされた本発明による高圧力噴射用ディスペンサノズルは、駆動部と、係合部と、ノズル部と、を備え、前記駆動部の下端には振動運動するタベットが露設されて前記係合部を介してノズル部に嵌着され、前記タぺットは、先端部が円錐状に構成され、前記ノズル部の底面にはノズルが取り付けられるディスペンサに適用されるものであり、前記ノズルは、前記タベットの先端部の外周面と所定の間隔の隙間を維持するように形成される漏斗状の収容部と、前記収容部の床面の中央に前記タぺットの先端部の前部の所定の長さだけ嵌め込まれるように形成される漏斗溝と、前記漏斗溝の中央に貫設される噴射孔と、を備えることを特徴とする。
【００２４】
また、本発明によるノズルは、前記タペットの先端部の外周面と所定の間隔の隙間を維持するように形成される漏斗状の収容部と、前記収容部の底面の中央に前記タベットの先端部の前部の所定の長さだけ嵌め込まれるように形成される漏斗溝と、前記漏斗溝の中央に貫設される噴射孔と、前記収容部の床面の一方の側における漏斗溝の傾斜面の間に溝を掘ってディスペンサ液を漏斗溝に流入させる注入溝と、を備えることを特徴とする。
【００２５】
更に、本発明によるノズルは、ノズル本体の上端に３つの円形が隣り合うように形成し、所定の深さの溝を掘った第１の溝部と、前記第１の溝部の内側の中央にタペットの先端部が嵌め込まれて接触されるように所定の深さの床面まで形成される漏斗溝と、前記漏斗溝の中央に貫設される噴射孔と、前記第１の溝部の一方の側における漏斗溝の傾斜面の間に溝を掘ってディスペンサ液を漏斗溝に流入させる第２の溝部と、を備えることを特徴とする。
【００２６】
更にまた、本発明によるノズルは、ノズル本体の上端に２つの円形が隣り合うように形成し、所定の深さの溝を掘った第１の溝部と、前記第１の溝部の２つの円形が隣り合う個所の中央にタぺットの先端部が嵌め込まれて接触されるように所定の深さの床面まで形成される漏斗溝と、前記漏斗溝の中央に貫設される噴射孔と、前記第１の溝部の内側に所定の深さの円形の溝を掘った第２の溝部と、前記第２の溝部の一方の側における漏斗溝の傾斜面の間に溝を掘ってディスペンサ液を漏斗溝に流入させる第３の溝部と、を備えることを特徴とする。
【００２７】
更にまた、本発明によるノズルは、ノズル本体の上端の一方の側に所定の深さの円形の溝を掘った第１の溝部と、前記第１の溝部の一方の側を含む中央にタペットの先端部が嵌め込まれて接触されるように所定の深さの床面まで形成される漏斗溝と、前記漏斗溝の中央に貫設される噴射孔と、前記第１の溝部の内側に所定の深さの円形の溝を掘った第２の溝部と、前記第２の溝部の一方の側における漏斗溝の傾斜面の間に溝を掘ってディスペンサ液を漏斗溝に流入させる第３の溝部と、を備えることを特徴とする。
【発明の効果】
【００２８】
このように、本発明は、噴射圧力及び効率を大幅に向上させ、製品の寿命を増大させるというメリットを有する。
【図面の簡単な説明】
【００２９】
【図１】通常のディスペンサ装置の構成図である。
【図２】前記図１のノズル部の拡大断面図である。
【図３】（ａ）及び（ｂ）は、従来のタぺット及びノズルの構成図である。
【図４】本発明の第１の実施形態によるノズルの構成図であり、（ａ）は、側断面図であり、（ｂ）は、使用状態図である。
【図５】本発明の第２の実施形態によるノズルの構成図であり、（ａ）は、側断面図であり、（ｂ）は、平面図である。
【図６】本発明の第３の実施形態によるノズルの構成図であり、（ａ）は、側断面図であり、（ｂ）は、平面図であり、（ｃ）は、使用状態図である。
【図７】本発明の第４の実施形態によるノズルの構成図であり、（ａ）は、側断面図であり、（ｂ）は、平面図である。
【図８】本発明の第５の実施形態によるノズルの構成図であり、（ａ）は、側断面図であり、（ｂ）は、平面図である。
【発明を実施するための形態】
【００３０】
以下、添付図面に基づき、本発明の好適な実施形態について詳細に説明する。
【００３１】
まず、各図面の構成要素に参照符号を付するに当たって、同じ構成要素に限っては、たとえ異なる図面の上に示されているとしても、できる限り同じ符号を付する。
【００３２】
図４は、本発明の第１の実施形態によるノズルの構成図であり、（ａ）は、側断面図であり、（ｂ）は、使用状態図である。
【００３３】
まず、本発明ノズルは、上述したような駆動部１０と、前記駆動部１０の底面に取り付けられる係合部２０と、前記係合部２０の下方に設けられるノズル部３０と、前記係合部２０の側面に取り付けられるシリンジ部４０と、を備え、前記駆動部１０の下端には振動運動するタベットが露設されて前記係合部２０を介してノズル部３０に嵌着され、前記タぺット１００は、先端部１０１が円錐状に構成され、前記ノズル部の底面にはノズルが取り付けられるディスペンサに適用されるものであり、本発明第１の実施形態によるノズル１１０は、前記タぺット１００の先端部１０１の外周面と所定の間隔の隙間Ｇを維持するように形成される漏斗状の収容部１１１と、前記収容部１１１の床面１１１ａの中央に前記タベット１００の先端部１０１の前部の所定の長さだけ嵌め込まれるように形成される漏斗溝１１２と、前記漏斗溝１１２の中央に貫設される噴射孔１１３と、を備える。
【００３４】
このような構成を有する前記ノズル１１０は、タベット１００の周り（第１の空間部３５、図２参照）を介してディスペンサ液がノズル１１０の収容部１１１及び漏斗溝１１２に満たされた後、前記タベット１００が前進動作して先端部１０１の前部が漏斗溝１１２に嵌め込まれると、ディスペンサ液が噴射孔１１３を介して外部に吐き出される。
【００３５】
このような噴射動作が行われた後、前記タベット１００が後退する瞬間、隙間Ｇに溜まっていたディスペンサ液が漏斗溝１１２に速やかに流入する。
このため、前記タぺット１００が上下動するときに速やかにディスペンサ液が収容部１１１を経て漏斗溝１１２に流入して、定量のディスペンサ液が噴射可能になり、その結果、ディスペンシング品質が良くなる。
【００３６】
図５は、本発明の第２の実施形態によるノズルの構成図であり、（ａ）は、側断面図であり、（ｂ）は、平面図である。
【００３７】
同図に示すように、本発明第２の実施形態によるノズル１２０は、タベット１００の先端部１０１の外周面と所定の間隔の隙間を維持するように形成される漏斗状の収容部１２１と、前記収容部１２１の床面１２１ａの中央に前記タペット１００の先端部１０１の前部の所定の長さだけ嵌め込まれるように形成される漏斗溝１２２と、前記漏斗溝１２２の中央に貫設される噴射孔１２３と、前記収容部１２１の床面１２１ａの一方の側における漏斗溝１２２の傾斜面の間に溝を掘ってディスペンサ液を漏斗溝１２２に流入させる注入溝１２４と、を備える。
【００３８】
ここで、前記注入溝１２４は、前記噴射孔１２３を中心として所定の間隔を隔てて少なくとも一つ以上形成され、好ましくは、３つで構成される。
【００３９】
このような構成を有する前記ノズル１２０は、ディスペンサ液がノズル１２０の収容部１２１を経て漏斗溝１２２に満たされるとき、注入溝１２４を介して前記漏斗溝１２１になお一層速やかに満たされるという効果を奏する。
【００４０】
このため、タペットが前後進動作をするとき、すなわち、噴射動作及び後進動作を行うときに速やかにディスペンサ液が漏斗溝１２１に満たされて、定量のディスペンサ液を高速で噴射することができる。
【００４１】
図６は、本発明の第３の実施形態によるノズルの構成図であり、（ａ）は、側断面図であり、（ｂ）は、平面図であり、（ｃ）は、使用状態図である。
【００４２】
同図に示すように、本発明第３の実施形態によるノズル１３０は、ノズル本体１３１の上端に３つの円形が隣り合うように形成し、所定の深さの溝を掘った第１の溝部１３２と、前記第１の溝部１３２の内側の中央にタぺット１００の先端部１０１が嵌め込まれて接触されるように所定の深さの床面１３４まで形成される漏斗溝１３３と、前記漏斗溝１３３の中央に貫設される噴射孔１３５と、前記第１の溝部１３２の一方の側における漏斗溝１３３の傾斜面の間に溝を掘ってディスペンサ液を漏斗溝１３３に流入させる第２の溝部１３６と、を備える。
【００４３】
ここで、前記第２の溝部１３６は、前記噴射孔１３５を中心として所定の間隔を隔てて少なくとも一つ以上形成され、好ましくは、３つで構成されて中央噴射孔１３５において一つに合わせられるように構成される。
【００４４】
このような構成を有する前記ノズル１３０は、ディスペンサ液がノズル１３０の第１の溝部１３２を経て漏斗溝１３３に満たされるとき、第２の溝部１３６を介して前記漏斗溝１３３になお一層速やかに満たされるという効果を奏する。
【００４５】
図７は、本発明の第４の実施形態によるノズルの構成図であり、（ａ）は、側断面図であり、（ｂ）は、平面図である。
【００４６】
同図に示すように、本発明の第４の実施形態によるノズル１４０は、ノズル本体１４１の上端に２つの円形が隣り合うように形成し、所定の深さの溝を掘った第１の溝部１４２、１４２と、前記第１の溝部１４２の２つの円形が隣り合う個所の中央にタベット１００の先端部１０１が嵌め込まれて接触されるように所定の深さの床面まで形成される漏斗溝１４３と、前記漏斗溝１４３の中央に貫設される噴射孔１４４と、前記第１の溝部１４２の内側に所定の深さの円形の溝を掘った第２の溝部１４５、１４５と、前記第２の溝部１４５、１４５の一方の側における漏斗溝１４３の傾斜面の間に溝を掘ってディスペンサ液を漏斗溝１４３に流入させる第３の溝部１４６と、を備える。
【００４７】
ここで、前記第３の溝部１４６は、前記噴射孔１４４を中心として所定の間隔を隔てて少なくとも一つ以上形成され、好ましくは、３つで構成される。
【００４８】
このような構成を有する前記ノズル１３０は、ディスペンサ液がノズル１４０の第１の溝部１４２及び第２の溝部１４５を経て漏斗溝１４３に満たされるとき、第３の溝部１４６を介して前記漏斗溝１４３になお一層速やかに満たされるという効果を奏する。
【００４９】
図８は、本発明の第５の実施形態によるノズルの構成図であり、（ａ）は、側断面図であり、（ｂ）は、平面図である。
【００５０】
同図に示すように、本発明の第５の実施形態によるノズル１５０は、ノズル本体１５１の上端の一方の側に所定の深さの円形の溝を掘った第１の溝部１５２と、前記第１の溝部１５２の一方の側を含む中央にタぺット１００の先端部１０１が嵌め込まれて接触されるように所定の深さの床面まで形成される漏斗溝１５３と、前記漏斗溝１５３の中央に貫設される噴射孔１５４と、前記第１の溝部１５２の内側に所定の深さの円形の溝を掘った第２の溝部１５５と、前記第２の溝部１５５の一方の側における漏斗溝１５３の傾斜面の間に溝を掘ってディスペンサ液を漏斗溝１５３に流入させる第３の溝部１５６と、を備える。
【００５１】
このような構成を有する前記ノズル１３０は、ディスペンサ液がノズル１４０の第１の溝部１５２及び第２の溝部１５５を経て漏斗溝１５３に満たされるとき、第３の溝部１５６を介して前記漏斗溝１５３になお一層速やかに満たされるという効果を奏する。
【符号の説明】
【００５２】
１０：駆動部            
２０：係合部
３０：ノズル部            
４０：シリンジ部
１００：タペット          
１０１：先端部
１１０、１２０、１３０、１４０、１５０：ノズル
【図１】
2017047416.tif 000003
【図２】
2017047416.tif 000004
【図３】
2017047416.tif 000005
【図４】
2017047416.tif 000006
【図５】
2017047416.tif 000007
【図６】
2017047416.tif 000008
【図７】
2017047416.tif 000009
【図８】
2017047416.tif 000010